(57)【特許請求の範囲】
【請求項１】
１枚の板状体から略凹字形状をしたフレーム本体と該フレーム本体内側に組み合わされる支持脚とを切り抜き形成してなり、前記支持脚の上部に穿設された透孔内に対して前記フレーム本体基部から上方に延設された係合突部を嵌入係合することによって、フレーム本体を起立維持可能に形成してなる組立式卓上イーゼル。
【請求項２】
フレーム本体が枠体形状であることを特徴とする請求項１記載の組立式卓上イーゼル。
【発明の詳細な説明】
【０００１】
【発明の属する技術分野】
本発明は、主として卓上に載置して、ポストカードや写真を飾る写真立てとして使用されたり、ワープロ入力時などの原稿スタンドとして使用される簡易な組立式イーゼルに関する。
【０００２】
【従来の技術】
美しい風景や絵画、デザイン画等が印刷されたポストカード、スナップ写真等を卓上に飾るためのスタンドは、従来より多種多様な形態のものが提案されている。例えば、前面にガラス板を嵌め込んだ小さな額縁からなり、背面板の一部を後方に引き出すことにより起立した脚部を形成可能とした写真立ては最もポピュラーであるし、透明なアクリル樹脂板を２枚合わせとし、両者を脚部兼用の棒状ビスで固定した写真立てや、３本脚のデッサンイーゼルを小型化したカードスタンド等もよく見受けられる。
【０００３】
一方、今やパソコンやワープロは、オフィスのみならず一般家庭にも普及しており、家庭用にも適した様々な周辺用品類が提供されている。例えば、特開２０００−１１８１８４に見られるような原稿スタンドは、小型で占有スペースが小さく、数枚程度の原稿に基づいて入力作業をしたい場合に大変便利である。
【０００４】
【発明が解決しようとする課題】
前述の写真立てを含め、従来提案されているカードスタンド等は、重厚であったり、組み立てが煩雑であったり、折り畳み又は解体時に嵩張ったり、あるいは構造的に弱かったりする欠点があるものが多く、ギフトや販売促進用の景品等としては不向きなものが多かった。
【０００５】
また、前記パソコン用原稿スタンドは、不使用時においては他の用途がなく、狭い机の上等では、かえってその存在が邪魔になってしまう欠点があった
【０００６】
そこで本発明では、分解時には嵩張らない一方、簡単に組み立て可能であり、かつ、イーゼルタイプのカードスタンドのように、さり気なくポストカード等を飾ることのでき、また、数枚程度の原稿スタンドとしても活用しうる組立式の卓上イーゼルの提供を目的とする。
【０００７】
【課題を解決するための手段】
前記所期の課題解決のために、本発明では、組立後は卓上において用いられるイーゼルタイプのカードスタンドとして、１枚の板状体を用いて、略凹字形状をしたフレーム本体と、該フレーム本体内側に組み合わされる支持脚とを切り抜き形成して、前記支持脚の上部に穿設された透孔内に対して前記フレーム本体基部から上方に延設された係合突部を嵌入係合することによって、フレーム本体を支持脚により起立維持可能に形成した。
【０００８】
ともに１枚の板状体から切り出されたフレーム本体と支持脚とは、不使用時には支持脚をフレーム本体内側に組み合わせることによって元の１枚の板状体となる。切り出しは、糸鋸やレーザーソーを使用することにより容易に実現することができる。フレーム本体基部からは上方に係合突部を延設する必要があるから、原則として、支持脚の下部には前記係合突部と全く同じ形状の切り込みが形成されることになるが、フレーム本体係合突部をさらに小さく削って、脚の切り込みとの間に隙間を持たせたデザインに形成することも可能である。
【０００９】
フレーム本体への支持脚の取り付けは、支持脚の上部に穿設された透孔内に対してフレーム本体における係合突部を嵌入係合することにより行われる。したがって、前記透孔の大きさは、係合突部の横幅や、材料として用いる板状体の厚みによって決定される。また、フレーム本体に対して支持脚を取り付けた際には、透孔より上側部分がフレーム前面より突出し、この部分がポストカード等の載置部分となるので、透孔の穿設位置もこうした載置スペースを考慮して設定される。
【００１０】
本発明に係る組立式卓上イーゼルにおいて、フレーム本体の形状は、略凹字形状に代えて枠体形状としてもよい。糸鋸やレーザーソーを用いれば、１枚の板状体から枠体を残して所望の図形を切り抜くことは容易であるから、フレーム本体を枠体形状とし、該フレーム本体内側を切り抜いて支持脚を形成することによってもイーゼルを形成することができる。
【００１１】
【発明の実施の形態】
以下、本発明に係る組立式卓上イーゼルについて、図面を参照しながら詳細に説明する。図１（ａ）〜（ｃ）は、イーゼルの一例を示した平面図である。これらに図示された例のイーゼルは、縦６８mm、横７１mmのＭＤ（ミニディスク）サイズに形成したもので、フレーム本体１における係合突部１４の形状をチューリップ形（ａ）、丸形（ｂ）、正方形（ｃ）としたバリエーションを示している。いずれのバリエーションのイーゼルも、厚さ約６mm程度の１枚の板状体を切り抜くことにより形成され、略凹字形状をしたフレーム本体１と、支持脚２とから構成されている。板状体としては、天然木板のほか、合板、アクリル等の合成樹脂板、金属板など種々の素材を選択使用することができる。
【００１２】
略凹字形状をしたフレーム本体１は、フレーム基部１１の各端部からフレーム右腕部１２とフレーム左腕部１３とが延設されてなり、さらにフレーム基部１１の中央より上方向に係合突部１４が突出するように延設された形状をしている。図１（ａ）（ｂ）では、係合突部１４は、支持脚２の下部において切り抜き形成されているため、係合突部１４の輪郭形状と支持脚２の切り込み部分とは全く同じ形状となっているが、図１（ｃ）の例では両者の形状を異なるものとしており、係合突部１４と支持脚２との間に隙間２２が形成されている。
【００１３】
支持脚２の上部には、透孔２１が穿設されている。この透孔２１の大きさは、フレーム本体１における係合突部１４の形状との関係において設定される。すなわち、図１（ａ）〜（ｃ）において、透孔２１の縦方向の長さは材料として用いる板状体の厚みに対応した長さであり、透孔２１の横方向の長さは係合突部１４の最大横幅に対応した長さである。
【００１４】
図２はフレーム本体を枠体形状とした一例の平面図であり、図３は同じくフレーム本体を枠体形状とした他の例の平面図である。このように、本発明に係るイーゼルは、フレーム左右腕部１２，１３間をフレーム上枠１５によって連続させ、フレーム本体１全体として枠体形状としてもよい。フレーム上枠１５は、図２に示されるような直線状に形成してもよいし、図３に示されるようなアーチ状に形成してもよい。いずれの場合も、支持脚２における透孔２１の大きさは、フレーム本体１における係合突部１４との関係において設定される。
【００１５】
図４は、図２に示した例のイーゼルの組み立て完成状態を示す斜視図である。図２に示した状態から、支持脚２をフレーム本体１から取り外し、フレーム本体１における係合突部１４を支持脚２における透孔２１に対して嵌入し、両者を係合することにより、支持脚２によってフレーム本体１が傾斜起立した状態に維持され、イーゼルとして完成する。図示されるように、透孔２１より上側部分がフレーム本体１の前面より突出しているので、この突出部分に対してポストカードや写真、ＣＤケースやＦＤ、メモ等を載置することにより、フレーム本体１に立てかけられた状態でポストカード等が保持されることになる。ポストカード３を載置した状態を図５に示す。
【００１６】
図６は、組み立て完成した図４のイーゼルに入力用原稿用紙を載置した状態の斜視図である。本発明に係るイーゼルは、数枚程度であればＡ４サイズ程度の大きな紙であっても、係合突部１４の後方に紙を回すことによって該係合突部１４とフレーム左右腕部１２，１３で挟持させ、縦方向に湾曲した状態で保持することが可能である。これによって、ワープロ等の入力用原稿用紙やメモ用紙等を卓上において立てて置くことができ、ペーパースタンドとして利用することができるのである。
【００１７】
【発明の効果】
本発明に係る組立式卓上イーゼルでは、１枚の板状体から切り出したフレーム本体と支持脚の２部材のみから構成されており、接着剤やネジ等を用いることなく、両部材を組み合せるだけでイーゼルとして完成し、使用することができる。また、フレーム本体の内側から支持脚を切り出すので、材料の無駄がなく、収納する際には元の１枚の板状体とすることができるので、占有スペースが少なくてすみ、積み重ね保存や携帯、郵便による発送等において便利である。さらに、製造コストを低く抑えることができるので、ギフトや景品、粗品等として好適である。
【００１８】
また、卓上で使用される小型のイーゼルながらも、ポストカードやメッセージカード等を立て掛け保持する「イーゼル機能」と、入力用原稿用紙を立てて置くことのできる「ペーパースタンド機能」とを併せ持ち、オフィスや家庭におけるデスク回りの小物として有用である。
【図面の簡単な説明】
【図１】本発明に係るイーゼルをＭＤサイズに形成し、係合突部の形状をチューリップ形（ａ）、丸形（ｂ）、正方形（ｃ）とした例の平面図である。
【図２】フレーム本体を枠体形状とした例の平面図である。
【図３】フレーム本体を枠体形状とした他の例の平面図である。
【図４】図２に示した例のイーゼルの組み立て完成状態を示す斜視図である。
【図５】図４のイーゼルに対してポストカードを載置した状態を示す斜視図である。
【図６】図４のイーゼルに対して入力用原稿用紙を載置した状態を示す斜視図である。
【符号の説明】
１  フレーム本体
２  支持脚
３  ポストカード
４  入力用原稿用紙
１１  フレーム基部
１４  係合突部
２１  透孔
【図１】
0004530191.tif 000002
【図２】
0004530191.tif 000003
【図３】
0004530191.tif 000004
【図４】
0004530191.tif 000005
【図５】
0004530191.tif 000006
【図６】
0004530191.tif 000007